(57)【要約】【課題】この発明は、簡易な構成で、信頼性の高い確実な着脱動作を実現し得るようにして、使い勝手の向上を図ることにある。【解決手段】記録媒体１１が挿脱される第１の枠体１０を第２の枠体１２に対してスライド移動自在に内挿して、この第１及び第２の枠体１０，１２間にマグネットラッチ１８を組付け配置し、第１の枠体１０が挿脱位置に排出されたアンローディング状態で、記録媒体１１の第１の枠体１０への挿脱が実現され、この挿脱位置で、記録媒体１１が挿着方向に押圧操作されると、マグネットラッチ１８が反転駆動されて第１の枠体１０が第２の枠体１２に対してスライド移動されて駆動位置にローディングされ、この駆動位置で、再び記録媒体１１の基端が押圧操作されると、マグネットラッチ１８が、反転駆動されて第１の枠体１０が第２の枠体１２に対して挿脱位置にアンローディングされるように構成したものである。【選択図】図２
2010218033.tif 000002
【特許請求の範囲】
【請求項１】
先端部に接続コネクタが設けられた記録媒体が挿脱自在に収容されるものであって、前記記録媒体の接続コネクタが着脱される内部接続コネクタが設けられた第１の枠体と、
この第１の枠体を挿脱方向にスライド移動自在に支持して、前記記録媒体の挿脱位置と、該記録媒体の駆動位置に移動案内する第２の枠体と、
前記記録媒体が前記第１の枠体に挿入されて前記接続コネクタが前記内部接続コネクタに接続された状態で、前記記録媒体が挿着方向に押圧操作されると、前記第１の枠体を前記第２の枠体に対して移動させて前記記録媒体を駆動位置に装填し、この装填された記録媒体が挿着方向に押圧操作されると、前記第１の枠体を反転移動させて前記記録媒体の挿脱位置に排出するラッチ手段と、
を具備することを特徴とする記録媒体着脱装置。
【請求項２】
前記記録媒体は、前記第１の枠体を介して駆動位置に装填された状態で、基端が押圧操作可能に露出されて配置されることを特徴とする請求項１記載の記録媒体着脱装置。
【請求項３】
前記内部接続コネクタは、前記第１の枠体に位置決め固定され、該第１の枠体と共に、前記第２の枠体に対してスライド移動されることを特徴とする請求項１又は２記載の記録媒体着脱装置。
【請求項４】
前記ラッチ手段は、ケース部が前記第１の枠体に支持され、このケース部に対して出入り自在に設けられた駆動部が前記第２の枠体に係合され、前記第１の枠体に対して挿着方向の押圧力が付与されると、前記駆動部が吸込まれて該第１の枠体を駆動位置方向に移動案内し、次に挿着方向への押圧力が付与されると、伸長されて前記第１の枠体を挿脱位置方向に移動案内するマグネットラッチであることを特徴とする請求項１乃至３のいずれか記載の記録媒体着脱装置。
【請求項５】
前記第１の枠体と第２の枠体との間には、すべり部材が介在されることを特徴とする請求項１乃至４のいずれか記載の記録媒体着脱装置。
【発明の詳細な説明】
【技術分野】
【０００１】
この発明は、例えば放送機器に係り、特に、その放送素材収録・編集媒体を構成するメモリパック等の記録媒体を着脱するのに用いられる記録媒体着脱装置に関する。
【背景技術】
【０００２】
一般に、放送機器においては、記録媒体を機器本体に挿着して各種の映像等の収録等が行われ、収録後に、カード式の記録媒体を機器本体から取出して、収録した内容の編集等が行われている。このような機器本体に挿着される記録媒体は、使用者により機器本体に挿着され、機器本体から取出す場合に、イジェクト操作に連動して、電動的に排出する方法が採られている。
【０００３】
しかし、この記録媒体を機器本体に着脱する方法では、無電時や駆動モータが故障したような場合、駆動位置に挿着した記録媒体を、機器本体から取出すことが困難となるという問題を有する。
【０００４】
そこで、このようなカード式の記録媒体を機器本体に着脱するための記録媒体着脱装置には、いわゆる周知のプッシュプッシュ式のマグネットラッチを用いて手動式に記録媒体を着脱位置に排出させたり、リンク機構を用いて機械的に記録媒体を着脱位置に排出させたりする方法が考えられている。
【０００５】
例えば、マグネットラッチを用いた記録媒体着脱装置としては、光ディスク駆動部を外装ケース体に対してディスク着脱位置とディスク駆動位置に出入り自在に配して、この光ディスク駆動部を、マグネットラッチを用いてディスク着脱位置とディスク駆動位置との間に選択的に移動操作する記録媒体着脱構成のものが知られている（例えば、特許文献１参照。）。
【先行技術文献】
【特許文献】
【０００６】
【特許文献１】実願登録２５２２９２４号公報
【発明の概要】
【発明が解決しようとする課題】
【０００７】
しかしながら、上記記録媒体着脱装置では、光ディスク駆動部の排出位置が、即ちディスク着脱位置であるイジェクト動作の終了位置のために、その構成が複雑となると共に、大形となるという問題を有する。
【０００８】
また、これによると、光ディスク駆動部が外装ケース体に収容された駆動状態において、光ディスク駆動部の前面を、思いがけずに押圧してしまうと、光ディスク駆動部が排出されるという問題を有する。
【０００９】
この発明は、上記の事情に鑑みてなされたもので、簡易な構成で、信頼性の高い確実な着脱動作を実現し得るようにして、使い勝手の向上を図った記録媒体着脱装置を提供することを目的とする。
【課題を解決するための手段】
【００１０】
この発明は、先端部に接続コネクタが設けられた記録媒体が挿脱自在に収容されるものであって、前記記録媒体の接続コネクタが着脱される内部接続コネクタが設けられた第１の枠体と、この第１の枠体を挿脱方向にスライド移動自在に支持して、前記記録媒体の挿脱位置と、該記録媒体の駆動位置に移動案内する第２の枠体と、前記記録媒体が前記第１の枠体に挿入されて前記接続コネクタが前記内部接続コネクタに接続された状態で、前記記録媒体が挿着方向に押圧操作されると、前記第１の枠体を前記第２の枠体に対して移動させて前記記録媒体を駆動位置に装填し、この装填された記録媒体が挿着方向に押圧操作されると、前記第１の枠体を反転移動させて前記記録媒体の挿脱位置に排出するラッチ手段とを備えて記録媒体着脱装置を構成した。
【００１１】
上記構成によれば、記録媒体は、第１の枠体が第２の枠体に対して挿脱位置に排出されたアンローディング状態で、該第１の枠体に挿入されて接続コネクタが内部接続コネクタに接続され、この挿脱位置において、記録媒体が挿着方向に押圧操作されると、ラッチ手段により第１の枠体が第２の枠体に対して移動されて駆動位置にローディングされる。そして、このローディング状態において、再び、記録媒体の基端が押圧操作されると、ラッチ手段が反転されて第１の枠体が第２の枠体に対して挿脱位置までアンローディングされ、第１の枠体からの抜脱が可能となる。
【００１２】
これにより、簡単な構成を確保したうえで、電力源等の動力源を備えることなく、誤操作による記録媒体の誤排出の防止が実現されて、信頼性の高い確実な着脱操作を容易に行うことができて、使い勝手の向上を図ることが可能となる。
【発明の効果】
【００１３】
以上述べたように、この発明によれば、簡易な構成で、信頼性の高い確実な着脱動作を実現し得るようにして、使い勝手の向上を図った記録媒体着脱装置を提供することができる。
【図面の簡単な説明】
【００１４】
【図１】この発明の一実施の形態に係る記録媒体着脱装置のアンローディング状態の外観構成を示した斜視図である。
【図２】図１の記録媒体を挿脱位置に排出したアンローディング状態を上面側から見た状態を示した平面図である。
【図３】図２のアンローディング状態を側面側から見た状態を示した平面図である。
【図４】図１の記録媒体を駆動位置に移動させたローディング状態を上面側から見た状態を示した平面図である。
【図５】図４のローディング状態を側面側から見た状態を示した平面図である。
【図６】図１を機器筐体に組付けた状態を示した斜視図である。
【発明を実施するための形態】
【００１５】
以下、この発明の実施の形態について、図面を参照して詳細に説明する。
【００１６】
図１は、この発明の一実施の形態に係る記録媒体着脱装置の外観構成を示すもので、第１の枠体１０は、内枠を構成し、メモリーパック等の記録媒体１１が挿脱自在に収容される。この第１の枠体１０は、外枠を構成する第２の枠体１２内に内挿され、例えばその両側部が案内機構１３を介して第２の枠体１２に対して矢印Ａ，Ｂ方向の挿脱位置及び駆動位置間にスライド移動自在に組付けられている。
【００１７】
また、上記第１の枠体１０と第２の枠体１２との間には、すべり部材１４が介在される。これにより、第１の枠体１０は、案内機構１３に案内されて第２の枠体１２に対して矢印Ａ，Ｂ方向にスライド移動されると、すべり部材１４の作用により、安定したスライド移動が行われる。このすべり部材１４としては、すべり特性の優れた、例えばポリアセタール系等の樹脂材が用いられる。
【００１８】
さらに、上記第１の枠体１０は、その上面及び両側部に媒体押さえばね部材１５の一端が取付けられている（図２及び図３参照）。この媒体押さえばね部材１５は、例えば中間部が折曲されており、その他端が該第１の枠体１０に挿着された上記記録媒体１１の周壁面に対してスライド移動可能に弾性係合される。
【００１９】
これにより、記録媒体１１は、第１の枠体１０内に挿着された状態で、その周壁面に上記媒体押さえばね部材１５の他端がスライド移動可能に弾性係合されて、該媒体押さえばね部材１５のばね力により第１の枠体１０に対して位置規制された状態で、スムーズな抜脱が可能に収容される。
【００２０】
また、第１の枠体１０には、例えばオス・メス構造のオス型の内部接続コネクタ１６が設けられ、この内部接続コネクタ１６には、該第１の枠体１０に挿着された上記記録媒体１１の先端部に設けられたメス型の接続コネクタ１１１が着脱される。この内部接続コネクタ１６は、フレキシブル基板１７を介して例えば後述する放送機器等の図示しない内部機器等に電気的に接続されている。そして、この内部接続コネクタ１６は、上記第１の枠体１０が第２の枠体１２に対して矢印Ａ，Ｂ方向にスライド移動されると、これに連動してフレキシブル基板１７を介して第１の枠体１０に挿着された記録媒体１１の接続コネクタ１１１に接続された状態で該第１の枠体１０と共に挿脱位置及び駆動位置に移動案内される。
【００２１】
さらに、第１の枠体１０には、その底面にラッチ手段を構成するマグネットラッチ１８のケース部１８１が取付けられ、このケース部１８１には、駆動部１８２が矢印Ａ，Ｂ方向に出入り自在に設けられる。この駆動部１８２は、１回押込まれると、ケース部１８１に対して最も突出された伸長状態となり、次に押込まれると、反転されてケース部１８１に対して最も入り込んだ収縮状態となる。
【００２２】
このマグネットラッチ１８は、その駆動部１８２が、上記第２の枠体１２に設けられた第１の駆動板１２１に取付けられた状態で、そのケース部１８１が第１の枠体１０に取付けられる。そして、第２の枠体１２には、第２の駆動板１２２が、上記第１の駆動板１２１に対して所定の間隔、例えばマグネットラッチ１８の駆動部１８２の収縮状態で、ケース部１８１の基端が離間され（図４及び図５参照）、駆動部１８２の伸長状態で該ケース部１８１の基端が係止されるように対向配置される（図２及び図３参照）。
【００２３】
このケース部１８１が第１の枠体１０に支持されたマグネットラッチ１８は、第１の枠体１０の挿脱位置（アンローディング位置）において、第２の枠体１２の第１の駆動板１２１に支持された駆動部１８２が伸長され、そのケース部１８１の基端が第２の駆動板１２２に係合されている。この状態で、第１の枠体１０に対して矢印Ｂ方向の付勢力が付与されると、第１の駆動板１２１に支持された駆動部１８２に対して押圧力が付与されることで、マグネットラッチ１８が反転駆動されて、その駆動部１８２がケース部１８１内に入り込む如く収縮される。
【００２４】
すると、マグネットラッチ１８は、そのケース部１８１が矢印Ｂ方向に移動付勢されることで、第１の枠体１０が第２の枠体１２に対して矢印Ｂ方向にスライド移動され、駆動位置（ローディング位置）にローディングされる（図４及び図５参照）。ここで、マグネットラッチ１８のケース部１８１は、その基端が第２の枠体１２の第２の駆動板１２２から離間される。
【００２５】
次に、この第１の枠体１０の駆動位置において、第１の枠体１０が矢印Ｂ方向に付勢力が付与されると、マグネットラッチ１８の駆動部１８２が第１の駆動板１２１に押付けられて反転され、伸長駆動されてケース部１８１から突出されることで、該ケース部１８１が矢印Ａ方向にスライド移動される。すると、マグネットラッチ１８は、そのケース部１８１が第１の枠体１０を矢印Ａ方向にスライド移動させ、その基端が第２の駆動板１２２に係止されるまで、第１の枠体１０を第２の枠体１２に対して矢印Ａ方向に挿脱位置までスライド移動させ、アンローディングが完了される。
【００２６】
ここで、マグネットラッチ１８は、その駆動部１８２が第２の枠体１２の第１の駆動板１２１に支持され、且つ、その第１の枠体１０に支持されたケース部１８１の基端が第２の駆動板１２２に係合される。これにより、第１の枠体１０は、矢印Ａ，Ｂ方向の双方のスライド移動が規制されて、その挿脱位置において記録媒体１１の抜脱及び挿着が可能となる。
【００２７】
上記構成において、第１の枠体１０がスライド移動自在に内挿された第２の枠体１２は、例えば図６に示す放送機器を構成する機器筐体２０の前面に配される操作部２１、表示部２２に並設して、機器筐体２０の前面側から第１の枠体１０に対して記録媒体１１の挿脱が可能に組付け配置される。そして、記録媒体１１を挿着する場合は、マグネットラッチ１８の駆動部１８２が伸長されて、第１の枠体１０が第２の枠体１２に対して最も矢印Ａ方向の挿脱位置にアンローディングされて、上述したように第２の枠体１２に対して位置決めされた状態で、記録媒体１１が第１の枠体１０に挿着されて、その接続コネクタ１１１が内部接続コネクタ１６に接続される。
【００２８】
この第１の枠体１０に装着した記録媒体１１を駆動位置にローディングする場合には、先ず、記録媒体１１の基端を矢印Ｂ方向に押込むように押圧操作する。すると、第１の枠体１０は、矢印Ｂ方向の付勢力が付与され、第２の枠体１２の第１の駆動板１２１に支持されたマグネットラッチ１８の駆動部１８２に押圧力が付与されて、該駆動部１８２がケース部１８１に対して収縮駆動される。
【００２９】
ここで、マグネットラッチ１８は、そのケース部１８１が矢印Ｂ方向に移動付勢されて、第１の枠体１０を第２の枠体１２に対して矢印Ｂ方向に移動付勢してスライド移動させ、駆動位置までローディングさせ（図２及び図３参照）、ここに、機器筐体２０の操作部２１の操作に応動して記録媒体１０への映像等の記録、あるいは再生が行われる。この第１の枠体１０が記録媒体１１の駆動位置にローディングされた状態では、マグネットラッチ１８は、第２の枠体１２の第１の駆動板１２１に支持された駆動部１８２が、ケース部１８１内に入り込んで、その突出量が収縮されて、そのケース部１８１の基端が、第２の枠体１２の第２の駆動板１２２から離間されている。
【００３０】
そして、上記駆動位置にローディングされた第１の枠体１０を、挿脱位置にアンローディングする場合には、先ず、記録媒体１１の基部を矢印Ｂ方向に押込むように押圧操作する。すると、第１の枠体１０が同方向に移動付勢され、マグネットラッチ１８の駆動部１８２が第１の駆動板１２１に押付けられ押圧付勢されることで、マグネットラッチ１８は、その駆動部１８２が反転されて伸長駆動され、ケース部１８１から大きく突出される。
【００３１】
これにより、マグネットラッチ１８は、そのケース部１８１が矢印Ａ方向に移動付勢されて、その基端が第２の駆動板１２２に係止されるまで同方向に移動されることで、第１の枠体１０を第２の枠体１２に対して矢印Ａ方向にスライド移動させて、記録媒体１１の挿脱位置にアンローディングさせる。
【００３２】
このマグネットラッチ１８の駆動部１８２が第２の枠体１２の第１の駆動板１２１に支持された状態においては、そのケース部１８１の基端が第２の駆動板１２２に係合され、第１の枠体１０の矢印Ａ，Ｂ方向の双方へのスライド移動が規制される。この第１の枠体１０が位置規制された状態で、記録媒体１１は、使用者により、第１の枠体１０からの抜脱、あるいは第１の枠体１０への挿着が行われる。
【００３３】
また、上記ローディング状態において、誤って記録媒体１１が矢印Ｂ方向に押圧され、第１の枠体１０が、挿脱位置にアンローディングされてしまった場合にも、同様に第１の枠体１０に収容された記録媒体１１は、使用者が抜脱しない限り、第１の枠体１０に位置決めされた収容状態に保たれている。
【００３４】
これにより、記録媒体１１は、第１の枠体１０から床に脱落したりして、損傷したりすることがない。従って、装置自体の使用環境等に影響を受けることなく、記録媒体１１の信頼性の高い高品質な挿脱操作ができることで、記録媒体１１の取扱いを安全に行うことができる。
【００３５】
さらに、記録媒体１１を使用者が抜脱しない限り、記録媒体１１の接続コネクタ１１１は、内部接続コネクタ１６と電気的に接続されたままであるため、第１の枠体１０が挿脱位置にアンローディングされてしまった場合でも、記録媒体１１への映像等の収録や再生等の処理を継続して行うことができる。なお、この挿脱位置にアンローディングされてしまった第１の枠体１０は、記録媒体１１への映像等の収録や再生等の処理を継続中であっても、記録媒体１１を挿着方向に押圧操作することで、駆動位置へローディングされることができる。
【００３６】
このように、上記記録媒体着脱装置は、記録媒体１１が挿脱される第１の枠体１０を第２の枠体１２に対してスライド移動自在に内挿して、この第１及び第２の枠体１０，１２間にマグネットラッチ１８を組付け配置し、第１の枠体１０が挿脱位置に排出されたアンローディング状態で、記録媒体１１の第１の枠体１０への挿脱が実現され、この挿脱位置で、記録媒体１１が挿着方向に押圧操作されると、マグネットラッチ１８が反転駆動されて第１の枠体１０が第２の枠体１２に対してスライド移動されて駆動位置にローディングされ、この駆動位置で、再び記録媒体１１の基端が押圧操作されると、マグネットラッチ１８が、反転駆動されて第１の枠体１０が第２の枠体１２に対して挿脱位置にアンローディングされるように構成した。
【００３７】
これによれば、ローディング駆動用モータを備えることなく、しかも、簡単な構成を確保したうえで、誤操作による記録媒体１１の誤排出の防止が実現されて、記録媒体１１の信頼性の高い確実な挿脱操作を容易に行うことができて、使い勝手の向上を図ることができる。
【００３８】
なお、上記実施の形態では、マグネットラッチ１８の駆動部１８２を第２の枠体１２の第１の駆動板１２１に取付けて、そのケース部１８１を第２の枠体１２の第２の駆動板１２２に対して接離自在に配し、このマグネットラッチ１８の作用により、第１の枠体１０を第２の枠体１２に対してスライド移動させるように構成した場合について説明したが、この配置構成に限ることなく、各種の組合せ配置が構成可能である。
【００３９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４０】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００４１】
１０…第１の枠体、１１…記録媒体、１１１…接続コネクタ、１２…第２の枠体、１２１…第１の駆動板、１２２…第２の駆動板、１３…案内機構、１４…すべり部材、１５…媒体押さえばね部材、１６…内部接続コネクタ、１７…フレキシブル基板、１８…マグネットラッチ、１８１…ケース部、１８２…駆動部、２０…機器筐体、２１…操作部、２２…表示部。
【図１】
2010218033.tif 000003
【図２】
2010218033.tif 000004
【図３】
2010218033.tif 000005
【図４】
2010218033.tif 000006
【図５】
2010218033.tif 000007
【図６】
2010218033.tif 000008